(57)【要約】【課題】筐体に対して表示画面の向きを任意に設定できて、扱い易いものとする。【解決手段】図２１（ａ）は撮影時の状態であり、また、図２１（ｂ）は操作キー部１６で各種操作をする場合の状態であって、使用形態に応じて表示画面１５ａを装置本体４１に対して任意の向きにすることができる。装置本体４１の側面には、内蔵のビデオカメラのカメラレンズ５が設けられ、この周りに複数のＬＥＤなどの発光素子の列からなるカウンタ６が設けられている。撮影時間が予め設定されたスナップ撮影モードでは、撮影時間の経過とともにかかる発光素子列の発光状態が変化していき、これを撮影される側から見ることができて、撮影の経過や撮影残り時間を感覚的に認識できる。【選択図】　　　　図２１
2004040229.tif 000002
【特許請求の範囲】
【請求項１】
筐体内にビデオカメラが内蔵され、かつ該筐体に記録媒体が着脱可能であり、該ビデオカメラで撮影した映像を該記録媒体に記録し、該記録媒体から再生する映像や該ビデオカメラで撮影中の映像を表示パネルの表示画面でモニタできるようにしたビデオカメラ付き記録装置であって、
該筐体の第１の面に輪郭が円形状の操作キーが設けられ、
該操作キーの中心を通る半径方向の第１の軸を中心に、かつ該操作キーの中心を通る該筐体の第１の面に垂直な第２の軸を中心に回動可能に蓋体が取り付けられ、該蓋体の一方の面側に該表示パネルが設けられていることを特徴とするビデオカメラ付き記録装置。
【請求項２】
請求項１において、
前記操作キーは前記表示画面での方向操作及び決定操作のための十字／決定キーであり、前記蓋体の回動位置にかかわらず、外部に露出されていることを特徴とするビデオカメラ付き記録装置。
【請求項３】
筐体内にビデオカメラが内蔵され、かつ該筐体に記録媒体が着脱可能であり、該ビデオカメラで撮影した映像を該記録媒体に記録し、該記録媒体から再生する映像や該ビデオカメラで撮影中の映像を表示パネルの表示画面でモニタできるようにしたビデオカメラ付き記録装置であって、
該筐体の第１の面側に取り付けられた該第１の面に平行な第１の回転軸を中心に回動可能な回動部材に、該回動部材に設けられた該第１の回転軸に垂直な第２の回転軸を中心に回転可能に、蓋体が取り付けられ、該蓋体の一方の面側に該表示パネルが設けられていることを特徴とするビデオカメラ付き記録装置。
【請求項４】
請求項１，２または３において、
前記筐体の前記第１の面に、テンキーや各種機能キーなどからなる操作キー部を設けたことを特徴とするビデオカメラ付き記録装置。
【請求項５】
請求項１，２，３または４において、
シャッタボタンの操作とともに撮影を開始し、予め決められた時間撮影すると撮影を自動的に終了するスナップ撮影モードの撮影が可能であって、
前記筐体での前記第１の面に垂直な第２の面に設けられた前記ビデオカメラのカメラレンズの周りに、複数の発光素子の列からなるカウンタが設けられ、
該スナップ撮影モードでの撮影時、撮影時間の経過とともに、該カウンタでの発光素子列の発光状態が順次変化して被撮影者に撮影時間の残り時間を表示することを特徴とするビデオカメラ付き記録装置。
【請求項６】
請求項５において、
前記シャッタボタンの操作でもって撮影開始と撮影終了とを行なう連続撮影モードと前記スナップ撮影モードとの撮影が選択的に可能であって、
電源をオン，オフする手段と、前記シャッタボタンと、前記連続撮影モードと前記スナップ撮影モードとの切替えを行なうためのモード選択手段とを、前記筐体の前記カメラレンズが設けられた前記第２の面とは反対側の第３面に、互いに近接して設けたことを特徴とするビデオカメラ付き記録装置。
【請求項７】
請求項５において、
前記蓋体が前記筐体の前記第１の面を閉じた状態で電源がオフとなり、前記蓋体が前記筐体の前記第１の面を開いた状態で電源がオンとなることを特徴とするビデオカメラ付き記録装置。
【請求項８】
請求項１，２において、
前記筐体に内蔵の電源装置は充電可能のバッテリであって、前記筐体の前記第１の面とは反対側の第４の面に該バッテリの充電用の接触端子を設け、
前記筐体を充電装置の架台に載置することにより、該接触端子から該バッテリの充電を可能に構成したことを特徴とするビデオカメラ付き記録装置。
【請求項９】
請求項３において、
前記筐体に内蔵の電源装置は充電可能のバッテリであって、前記筐体の前記第１の面に該バッテリの充電用の接触端子を設け、
前記筐体を充電装置の架台に載置することにより、該接触端子から該バッテリの充電を可能に構成したことを特徴とするビデオカメラ付き記録装置。
【発明の詳細な説明】
【０００１】
【発明の属する技術分野】
本発明は、ビデオカメラを備え、このビデオカメラで撮影した映像を記録媒体に記録し、これを閲覧したり、編集したりすることができるようにしたビデオカメラ付き記録装置に関する。
【０００２】
【従来の技術】
近年、ＨＤＤ（ハード・ディスク・ドライブ）などの記録媒体を備え、ビデオカメラを内蔵して、このビデオカメラで撮影した動画や静止画などの映像を記録媒体に記録し、必要なときにこれを備え付けの液晶画面などの表示画面で見ることができるようにしたビデオカメラ付き記録装置が普及しており、かなりの記録容量を維持しながらより小型，軽量化が進み、さらに使い易くなってきている。
【０００３】
特開平１１ー３３１６６９号公報には、その一例がビデオカメラとして開示されている。これは、表示部とグリップ部とが一体となった電子ティスプレイ部がカメラ本体に対して回動可能に取り付けられており、非使用時には、電子ティスプレイ部がカメラ本体と重ね合わされて表示部を閉じた状態とし、これにより、コンパクトな形状となって持ち運びに便利なものとなり、使用するときには、電子ティスプレイ部を回動させてカメラ本体から起こした状態とし、表示部を見ることができる状態とする。グリップ部には撮影ボタンが設けられており、このグリップ部を握った手の指先でこの撮影ボタンを操作することができるようにしている。また、外部機器との接続を可能とする操作部材や表示窓が、使用時に視認可能に、カメラ本体の表面に設けられている。
【０００４】
このようにして、使用しないときには、回動部がカメラ本体に重なるようにすることにより、スリムな状態となるとともに、ディスプレイ部が外部に露出しない状態となるので、保護されることになる、としている。
【０００５】
【発明が解決しようとする課題】
ところで、上記公知文献に記載のビデオカメラとしては、カメラ本体を横にし、開いた電子ティスプレイ部を立てた状態にして使用する第１の実施形態のもの（図１）と、カメラ本体を立てて、電子ティスプレイ部を横に開いた状態にして使用する第２の実施形態のもの（図６）とが開示されている。つまり、電子ティスプレイ部はカメラ本体に対して決まった方向にしか回動することができない。
【０００６】
しかしながら、ビデオカメラとしては、カメラの撮影ばかりでなく、表示部や操作部を使用して他の機能を奏するようにする多機能化が望まれているものであって、このためには、表示部がカメラ本体に対して決まった姿勢しか取り得ない場合には、たとえ多くの機能を奏するようにしても、操作が非常にしにくいものとなる。
【０００７】
本発明の第１の目的は、かかる問題を解消し、表示部が筐体に対して任意の方向を向くようにすることができるようにしたビデオカメラ付き記録装置を提供することにある。
【０００８】
また、ビデオカメラでは、通常、カメラレンズ側に表示素子が設けられ、撮影状態にあるときには、これが点灯して撮影される側からも撮影中であることが判るようにしている。しかしながら、撮影される側では、撮影中であることが判っても、いつ撮影が終わるのか判らない。連続撮影の場合には、撮影を終了するのは、撮影者側で決めるものであるから、仕方がないとしても、例えば、撮影ボタンを押すと、５秒間だけ撮影する５秒撮影モードと呼ばれる撮影モードが知られているが（例えば、日本ビクタ株式会社製のデジタルビデオカメラ（型名ＧＲ−ＤＶＰ３）のカタログ）、このような撮影モード（以下、スナップ撮影モードという）でも、その撮影期間中表示素子を点灯させることにより、撮影中であることを撮影される側に知らせることができるが、撮影される側では、撮影時間がどの位残っているのか判らず、非常に気になる場合がある。このような場合には、意識するあまり、不自然な撮られ方をする場合があるし、また、撮られていると思っていると、いつの間にか撮影が終わってしまっている、といったような不具合が生ずることもある。
【０００９】
本発明の第２の目的は、かかる問題を解消し、スナップ撮影モードでの撮影時、撮影される側で撮影の残り時間を感覚的に認識できるようにしたビデオカメラ付き記録装置を提供することにある。
【００１０】
さらに、従来のビデオカメラでは、電源として、電池が用いられており、このため、電池を控えとして常に購入しておく必要があるし、また、購入しておかない場合には、電池が切れそうになると、電池を買いに行かなければならず、手間のかかるものであった。
【００１１】
本発明の第３の目的は、かかる問題を解消し、電池の購入の手間を省いて、容易に電源を使用可能状態として置けるようにしたビデオカメラ付き記録装置を提供することにある。
【００１２】
【課題を解決するための手段】
上記第１の目的を達成するために、本発明は、筐体内にビデオカメラが内蔵され、かつ該筐体に記録媒体が着脱可能であり、ビデオカメラで撮影した映像を該記録媒体に記録し、記録媒体から再生する映像やビデオカメラで撮影中の映像を表示パネルの表示画面でモニタできるようにしたビデオカメラ付き記録装置であって、筐体の第１の面に輪郭が円形状の操作キーが設けられ、操作キーの中心を通る半径方向の第１の軸を中心に、かつ操作キーの中心を通る筐体の第１の面に垂直な第２の軸を中心に回動可能に蓋体が取り付けられ、蓋体の一方の面側に表示パネルが設けられているものである。
【００１３】
また、本発明は、筐体内にビデオカメラが内蔵され、かつ該筐体に記録媒体が着脱可能であり、ビデオカメラで撮影した映像を記録媒体に記録し、記録媒体から再生する映像やビデオカメラで撮影中の映像を表示パネルの表示画面でモニタできるようにしたビデオカメラ付き記録装置であって、筐体の第１の面側に取り付けられたこの第１の面に平行な第１の回転軸を中心に回動可能な回動部材に、この回動部材に設けられた第１の回転軸に垂直な第２の回転軸を中心に回転可能に、蓋体が取り付けられ、蓋体の一方の面側に表示パネルが設けられているものである。
【００１４】
そして、筐体の第１の面に、テンキーや各種機能キーなどからなる操作キー部を設けたものである。
【００１５】
上記第２の目的を達成するために、本発明は、上記のビデオカメラ付き記録装置であって、シャッタボタンの操作とともに撮影を開始し、予め決められた時間撮影すると撮影を自動的に終了するスナップ撮影モードの撮影が可能であって、上記筐体での第１の面に垂直な第２の面に設けられたビデオカメラのカメラレンズの周りに、複数の発光素子の列からなるカウンタが設けられ、スナップ撮影モードでの撮影時、撮影時間の経過とともに、カウンタでの発光素子列の発光状態が順次変化して被撮影者に撮影時間の残り時間を表示するものである。
【００１６】
また、シャッタボタンの操作でもって撮影開始と撮影終了とを行なう連続撮影モードとスナップ撮影モードとの撮影が選択的に可能であって、電源をオン，オフする手段と、シャッタボタンと、連続撮影モードとスナップ撮影モードとの切替えを行なうためのモード選択手段とを、筐体の上記第２の面とは反対側の第３面に、互いに近接して設けたものである。
【００１７】
または、上記蓋体が記筐体の第１の面を閉じた状態で電源がオフとなり、蓋体が筐体の第１の面を開いた状態で電源がオンとなるように構成したものである。
【００１８】
上記第３の目的を達成するために、本発明は、上記のビデオカメラ付き記録装置であって、上記筐体に内蔵の電源装置は充電可能のバッテリであって、筐体の第１の面とは反対側の第４の面にこのバッテリの充電用の接触端子を設け、筐体を充電装置の架台に載置することにより、この接触端子からバッテリの充電を可能に構成したものである。
【００１９】
また、上記筐体に内蔵の電源装置は充電可能のバッテリであって、筐体の第１の面にこのバッテリの充電用の接触端子を設け、筐体を充電装置の架台に載置することにより、この接触端子からバッテリの充電を可能に構成したものである。
【００２０】
【発明の実施の形態】
以下、本発明の実施形態を図面により説明する。
図１は本発明によるビデオカメラ付き記録装置の第１の実施形態の蓋体が閉じた状態を示す外観図であって、同図（ａ）は正面図、同図（ｂ）は左側面図、同図（ｃ）は右側面図、同図（ｄ）は上面図、同図（ｅ）は底面図、同図（ｆ）は裏面図であり、１は上ケース、２は下ケース、３は蓋体、３ａは窪み部、４は十字／決定キー、５はカメラレンズ、６は撮影期間通知カウンタ、７はシャッタボタン、８はモードセレクタ、９はモードノブ、１０はズーム操作部、１１はマイクロホン、１２はスピーカ、１３は電源接点端子、１４は開閉蓋である。
【００２１】
図１（ａ）〜（ｃ）において、この第１の実施形態は、上ケース１と下ケース２とからなる筐体の上ケース１側に蓋体３が設けられている。この蓋体３は、その上辺側を軸として、矢印Ａ方向に回動可能に取り付けられており、ここでは、上ケース１の表面に接して閉じた状態にある。上ケース１の筐体上面側中央部に、円形状の十字／決定キー４が設けられており、また、蓋体３の上辺側の中央部には、この十字／決定キー４よりも若干大きい直径で円弧状をなす窪み部３ａが設けられており、この窪み部３ａ内に十字／決定キー４が嵌り込むようにして、蓋体３が取り付けられている。蓋体３の上記開閉は、一例として、十字／決定キー４の横方向の直径を通る直線上に設けられた図示しないヒンジによって可能となっている。
【００２２】
この筐体内には、図示しないが、ビデオカメラが内蔵され、また、ＨＤＤ（ハード・ディスク・ドライブ）などの記録媒体が着脱可能であって、この筐体の左側面部に、図１（ｂ）に示すように、このビデオカメラのカメラレンズ５が設けられている。ビデオカメラで撮影された被写体の映像信号は、画像圧縮などの処理がなされた後、かかる記録媒体に記録される。
【００２３】
カメラレンズ５をその全周にわたって囲むように、例えば、ＬＥＤなどの発光素子が複数個環状に配列されてなる撮影期間通知カウンタ６が設けられている。即ち、撮影される側がこの撮影期間通知カウンタ６を見ることができる。
【００２４】
後述するスナップ撮影モードで撮影を行なうとき、ビデオカメラによって撮影が開始すると、この撮影期間通知カウンタ６の全発光素子が一斉に点灯し、撮影が経過するとともに、１つずつ順に発光素子が消灯していって、撮影が終了すると、全発光素子が消灯する。このスナップ撮影モードでは、その撮影時間が設定されているものであって、この設定された撮影時間（以下、スナップ撮影設定時間という）に撮影期間通知カウンタ６が上記の動作を行なうものである。従って、このスナップ撮影設定時間の長さに応じて、発光素子列の消灯していく速度が異なることになり、撮影される側は、この撮影期間通知カウンタ６の点灯している発光素子の量から残りの撮影時間をある程度知ることができる。
【００２５】
筐体の右側面側には、図１（ｃ）に示すように、撮影をスタート／ストップさせるためのシャッタボタン７が設けられ、このシャッタボタン７の周囲に環状のモードセレクタ８が設けられている。このモードセレクタ８には、Ｌ（ロック）位置とＳ（スナップ撮影モード）位置とＣ（コンティニュー（連続撮影）モード）位置とが設定されており、これらのいずれかをモードノブ９で選択できるようにしている。ここで、モードノブ９でＬ位置を選択すると、装置が電源オフの状態に設定され、Ｓ位置を選択すると、スナップ撮影設定時間を変更することができ、かかる選択状態でシャッタボタン７を操作すると、スナップ撮影が開始される。そして、そのとき設定されているスナップ撮影設定時間が経過すると、自動的に撮影が終了する。また、Ｃ位置を選択すると、シャッタボタン７の操作によって撮影を開始したり、撮影を終了する通常の連続撮影を行なうことができる。なお、Ｓ位置を選択してスナップ撮影モードを設定すると、ディフォルトとして、例えば、５秒間のスナップ撮影設定時間が設定されているが、このスナップ撮影設定時間を、後述する方法により、変更することができる。
【００２６】
なお、以上のことから、この実施形態の装置を動作状態とするためには、モードノブ９を「Ｓ」または「Ｃ」位置に設定し、電源がオンの状態となるようにする。
【００２７】
さらに、モードセレクタ８の外側には、ズーム操作部１０が設けられており、これを操作することにより、カメラレンズ５をワイド（Ｗ）から望遠（Ｔ）まで調整することができる。
【００２８】
筐体の上面部には、図１（ｄ）に示すように、マイクロホン１１とスピーカ１２とが設けられており、また、筐体の底面側、即ち、下ケース２の底面側には、図１（ｅ），（ｆ）に示すように、筐体内に内臓のバッテリ（図示せず）を充電するための電源接点端子１３が設けられている。
【００２９】
図２は図１に示す第１の実施形態での蓋体３を開いたときの第１の状態を示すものであって、同図（ａ）はその正面図、同図（ｂ）は右側面図であり、１５は液晶などの表示パネル、１５ａはその表示画面、１６は操作キー部、１７はヒンジ、１８，１９はカードスロット、２０はＵＳＢ（Ｕｎｉｖｅｒｓａｌ　Ｓｅｒｉａｌ　Ｂｕｓ）、２１はＡＶ（Ａｕｄｉｏ−Ｖｉｄｅｏ）ジャック（出力端子）ある。なお、図１に対応する部分には同一符号を付けて重複する説明を省略する。
【００３０】
図２（ａ）は、図１（ａ）に示す蓋体３が閉じた状態から蓋体３を上記のヒンジ１７を中心に回動させることにより、蓋体３が開いた状態を示すものである。図１（ａ）で示す状態での蓋体３の外側に向いた面を蓋体３の裏面とすると、それとは反対側の表面には、液晶パネルなどによる表示パネル１５が設けられている。この表示パネル１５の表示画面１５ａで撮影中の映像のモニタや記録媒体からの映像の再生，その他の各種の設定操作などを行なうことができる。また、この実施形態では、後述するように、通信機能を持たせることにより、表示パネル１５の表示画面１５ａを電子メールなどの通信のための表示にも用いることができる。
【００３１】
また、図１（ａ）に示す状態では蓋体３によって塞がれていた上ケース１の表面には、操作キー部１６が設けられている。この操作キー部１６には、「メール」キーや「クリア」キー，「ＭＥＮＵ」キーなどの機能キーとともに、複数の文字入力キーであるテンキーが設けられている。これらテンキーは、平仮名／カタカナ／漢字の入力や数字，アルファベットを入力するための１０個のキーからなるが、これらは平仮名／カタカナ／漢字の入力を主体とし、即ち、最初の操作では、これら平仮名／カタカナ／漢字が入力されるようにし、数字，アルファベットの入力はさらに他の所定の操作をすることにより、これらテンキーの機能を変更させて行なうことができるようにしている。このため、これら１０個のテンキーには、夫々あ行，か行，……，わ行の文字が割り当てられているが、これら行を表わす文字「あ」，「か」，……，「わ」が大きく表示され、数字やアルファベットといった他の入力機能を表わす文字が小さく表示されている。このようにして、１０個のテンキーは、日本語の文章を入力するのに、使用し易いように表示されている。
【００３２】
また、図２（ｂ）において、筐体の右側面側に設けられた開閉蓋１４を開くと、ＣＦ（Ｃｏｍｐａｃｔ　Ｆｌａｓｈ）カードやＰＨＳ（Ｐｅｒｓｏｎａｌ　Ｈａｎｄｙｐｈｏｎｅ　Ｓｙｓｔｅｍ）カード，ＰＣＭＣＩＡ（Ｐｅｒｓｏｎａｌ　Ｃｏｍｐｕｔｅｒ　Ｍｅｍｏｒｙ　Ｃａｒｄ　Ｉｎｔｅｒｎａｔｉｏｎａｌ　Ａｓｓｏｃｉａｔｉｏｎ）カードなどの通信機能を内蔵したカード（以下、通信機能内蔵型カードという）やＣＦカードサイズのＨＤＤ（ハード・ディスク・ドライブ）を装着するためのカードスロット１８やＳＤ（Ｓｅｃｕｒｅ　Ｄｉｇｉｔａｌ）カードやＭＭＣ（ＭｕｌｔｉＭｅｄｉａ　Ｃｏｒｄ：小型のフラッシュ・メモリ・カード）などのカード型記録媒体を装着するためのカードスロット１９が開いており、カードスロット１９に、カードスロット１８に装着されるＨＤＤとともに使用するカード型記録媒体を装着することができるし、また、カードスロット１８に通信機能内蔵型カードを装着することにより、携帯電話機と同様に、装置に通信機能が付加されて、携帯電話機のように、インターネットや通信回線を用いた無線通信が可能となる。
【００３３】
また、開閉蓋１４を開くと、ＵＳＢジャック２０やＡＶジャック２１が使用可能となり、ＵＳＢジャック２０からパソコンに接続することができるし、ＡＶジャック２１からテレビ受像機に接続することができる。
【００３４】
図１で説明したように、モードノブ９を操作してＳ位置を選択することにより、スナップ撮影モードを設定し、シャッタボタン７を操作することにより、撮影が開始してこのときのスナップ撮影設定時間だけ撮影が行なわれて撮影が自動的に終了するが、かかるスナップ撮影モードでスナップ撮影設定時間を変更することができる。以下、この変更方法の一具体例について、図２を用いて説明する。
【００３５】
いま、モードノブ９がＬ位置を選択していて装置の電源がオフであるものとして、これをＳ位置に切り替えると、電源がオンとなり、スナップ撮影モードによる撮影可能状態となる。かかる状態で操作キー部１６での「ＭＥＮＵ」キーを操作すると、表示画面１５にメニュー画面（図示せず）が表示される。このメニュー画面でスナップ撮影設定時間の変更のためのメニューを選択すると、スナップ撮影設定時間の変更を可能とする画面が表示され、これに操作キー部１６を操作して希望する時間を入力設定し、十字／決定キー４で決定操作をすると、この入力した時間がスナップ撮影設定時間として設定されることになり、これからのスナップ撮影モードでの撮影では、この新たに設定されたスナップ撮影設定時間で撮影が行なわれる。
【００３６】
図３は図１に示す第１の実施形態での蓋体３を開いたときの第２の状態を示すものであって、同図（ａ）はその正面図、同図（ｂ）は右側面図であり、前出図面に対応する部分には同一符号を付けて重複する説明を省略する。
【００３７】
図３に示す第２の状態は、図２（ａ）に示す第１の状態から蓋体３を十字／決定キー４の周りに矢印Ｂ方向に１８０゜回転させて状態であって、また、図１（ａ）に示す状態で蓋体３を裏返しにした状態である。
【００３８】
かかる第２の状態では、十字／決定キー４を操作するだけで行なわせる動作に適するものであり、このような動作として、記録媒体からの映像再生などがある。この場合には、表示画面１５ａには、十字／決定キー４の操作でカーソルの移動やクリックだけで済むメニュー画面が表示され、記録媒体からの映像再生などの動作を行なわせることができる。
【００３９】
勿論、この場合でも、シャッタボタン７を操作することにより、撮影を行なわせることができるが、撮影のモニタがしにくい特別な状態であることから、シャッタボタン７に触っても撮影が行なわれないようにすることもでき、これを誤操作として防止するようにすることもできる。
【００４０】
このように、この第１の実施形態では、蓋体３が操作キー部１６を閉じた状態にあっても、十字／決定キー４は露出して操作可能な状態にあるので、画面を見ながらこの十字／決定キー４の操作によって可能な動作（例えば、記録媒体に記録されている映像の再生モニタなど）を行なわせることができ、多機能化が可能となる。
【００４１】
ここで、蓋体３の取り付け部について、図４により、説明する。なお、１ａは突出部、２２は支持部材、２２ａはヒンジ取付部、２２ｂはケース取付部、２２ｃはキー取付部、２３ａ〜２３ｃは感圧センサ、２４ａ〜２４ｃは圧縮バネであり、前出図面に対応する部分には同一符号を付けている。
【００４２】
図４において、支持部材２２は、概略形状として、円柱状をなし、その側面の底面側に窪み状のケース取付部２２ｂが設けられ、これに上ケース１の突出部１ａが嵌め込まれることにより、上ケース１に固定されている。また、支持部材２２の上面側に十字／決定キー４が嵌め込まれた窪み状のキー取付部２２ｃが設けられている。
【００４３】
さらに、支持部材２２の側面のケース取付部２２ｂとキー取付部２２ｃとの間の部分に、全周にわたって溝状にヒンジ取付部２２ａが形成されており、このヒンジ取付部２２ａに蓋体３に形成されたヒンジ１７が摺動可能に嵌め込まれている。このため、ヒンジ１７はこのヒンジ取付部２２ａに沿って移動可能であり、先に説明した図２に示す第１の状態から図３に示す第３の状態に蓋体３を移動させることができるし、また、ヒンジ１７をその中心軸を中心として回転させることができて、蓋体３を図１（ａ）に示す状態から図２に示す状態に変更する蓋体３の開閉を行なうことができる。
【００４４】
かかる支持部材２２によって蓋体３を上ケース１に取り付けることにより、図５に示すように、蓋体３を回動させて表示パネル１５の向きを種々の方向に換えることができる。
【００４５】
即ち、図５（ａ）は、図４で説明したように、ヒンジ１７の中心軸Ｐを中心に矢印Ｃで示す上下方向に蓋体３を回動させることができることを示すものであり、この結果、上ケース１上の操作キー部１６（図１２）や表示パネル１５を閉じたり、開いたりすることができる。また、図５（ｂ）は、図４で説明したように、十字／決定キー４の中心軸Ｑを中心に矢印Ｄで示す方向に蓋体３を回動させることができることを示すものである。これにより、表示パネル１５を水平，斜め，上向きなどの任意の方向に向きを換えることができる。
【００４６】
なお、図４において、支持部材２２は上ケース１に固定されているものとしたが、この場合には、十字／決定キー４での△印で示す方向キーの機能が表示画面１５ａが図２に示す状態の場合と図３に示す状態の場合とで異なることになる。従って、このように支持部材２２は上ケース１に固定されている場合には、図２に示す状態の場合と図３に示す状態の場合とで、十字／決定キー４で方向キーの機能を上下、左右入れ替える手段を設け、表示画面１５ａに対するこれら方向キーの機能を一定にする必要がある。
【００４７】
これに対し、支持部材２２を、上ケース１に対して、この支持部材２２の中心軸に関して回転可能とし、従って、ヒンジ取付部２２ａをヒンジ１７よりも若干直径が大きい穴状のものとし、蓋体３の支持体２２の中心軸を中心とした回動は、支持体２２と一体に行なわれるようにしてもよい。この場合には、十字／決定キー４の方向キーの表示画面１５ａに対する機能は、図２に示す状態から図３に示す状態に変わっても、変化はない。
【００４８】
図６は撮影時の表示パネル１５の状態を示す図であって、同図（ａ）は被写体側から見た図、同図（ｂ）は撮影するユーザ側から見た図であり、前出図面に対応する部分には同一符号を付けている。
【００４９】
撮影する場合には、表示パネル１５の表示画面１５ａが、例えば、図６（ｂ）に示すように、カメラレンズ５の光軸に垂直で、かつ図示しないユーザ側を向くように、その向きが設定される（なお、表示画面１５ａが真っ直ぐ水平方向を向くばかりでなく、若干上向き、あるいは若干下向きとして撮影が行なわれる場合もある）。この場合、撮影される側から見ると、図６（ａ）に示すように、カメラレンズ５の周りの撮影期間通知カウンタ６を見ることができ、スナップ撮影モードで撮影が行なわれているときには、これにより、上述したように、撮影の残り時間を感覚的に認識することができる。なお、連続撮影モードのときには、撮影期間通知カウンタ６の特定のＬＥＤまたは全てのＬＥＤの点灯状態を固定することにより、撮影される側は撮影状態にあることを認識することができる。
【００５０】
図７は撮影時でのユーザによる取り扱い状態を示す図であって、同図（ａ）は撮影される側から見た図、同図（ｂ）は撮影するユーザ側から見た図である。なお、２５は撮影するユーザの手であり、前出図面に対応する部分には同一符号を付けている。
【００５１】
図７（ａ），（ｂ）において、ユーザは、例えば、右の手２５で装置を握り、撮影する。この場合、この手２５の親指以外の４本の指と手の平とで筐体のカメラレンズ５よりも下の部分を握ることにより、親指によってシャッタボタン７やモードノブ９（図１）を操作することができる。この場合、表示パネル１５の表示画面１５ａは、図６に示すように向きが設定される。
【００５２】
図８は操作キー部１６を用いて使用する場合のユーザによる取り扱い状態を示す図であって、図７に対応する部分には同一符号を付けている。
【００５３】
同図において、この場合には、表示パネル１５が、図２に示したように、開いており、親指以外の４本の指と手の平とで筐体を握り、親指で操作キー部１６などを操作する。
【００５４】
このような使用形態では、記録媒体からの映像の再生や映像の検索，文字編集，メールの送受信などのための操作を、表示画面１５ａの表示内容を用いながら、行なうことができる。
【００５５】
以上のように、この第１の実施形態においては、筐体の対して、蓋体３に設けられている表示パネル１５の表示画面１５ａを任意の方向に向けることができ、従って、表示画面１５ａを使用形態に応じた向きとすることができるので、撮影や操作などで扱い易いものとなる。
【００５６】
図９はこの第１の実施形態の内部構造の一具体例を示す透視図であって、同図（ａ）は正面側からの透視図、同図（ｂ）は左側面側からの透視図、同図（ｃ）は上面側からの透視図、同図（ｄ）は底面側からの透視図である。なお、６ａは発光素子、２６はバッテリ、２７はシートキーであり、前出図面に対応する部分には同一符号を付けている。
【００５７】
図９（ａ）に示すように、また、先に説明したように、ヒンジ１７によって開閉可能な蓋体３に表示パネル１５が設けられている。また、図９（ｂ）に示すように、カメラレンズ５の全周に複数個のＬＥＤなどの発光素子６ａが円状に配列されており（ここでは、１２個としているが、これに限るものではない）、これらが先に説明した撮影期間通知カウンタ６（図１など）を形成している。また、図９（ｃ）に示すように、マイクロホン１１としては、ここでは、ステレオ用のマイクロホンとしている。勿論、モノラル用のマイクロホンでもよい。
【００５８】
また、筐体の内部には、図９（ｂ），（ｄ）に示すように、ＣＦカードやＰＨＳカード，ＰＣＭＣＩＡカードのような通信機能内蔵型カードやＨＤＤ用のカードスロット１８やＳＤカードやＭＭＣなどのカード型記録媒体用のカードスロット１９，図示しないパソコンに接続するためのＵＳＢジャック２０や図示しないテレビ受像機に接続するためのＡＶジャック２１のほかに、バッテリ２６が充電可能に設けられている。なお、シートキー２７は、先の操作キー部１６を形成するものである。
【００５９】
図１０は第１の実施形態での回路構成の一具体例を概略的に示すブロック図であって、２８はＣＣＤ（Ｃｈａｒｇｅ　Ｃｏｕｐｌｅｄ　Ｄｅｖｉｃｅ）センサ、２９は前処理部、３０はカメラ信号処理部、３１はＭＰＥＧ（Ｍｏｔｉｏｎ　Ｐｉｃｔｕｒｅ　Ｅｘｐｅｒｔ　Ｇｒｏｕｐ）２規格に基づく映像符号化／復号部、３２はＡＤ（アナログーデジタル変換）／ＤＡ（デジタルーアナログ変換）部、３３は音声符号化／復号部、３４は多重化／分離部、３５はＨＤＤ（ハード・ディスク・ドライブ）、３６はＵＳＢコントローラ、３７はＮＴＳＣエンコーダであり、前出図面に対応する部分には同一符号を付けている。
【００６０】
同図において、ＣＣＤセンサ２８と前処理部２９とがビデオカメラを構成しており、スナップ撮影モードや連続撮影モードでの撮影時では、ＣＣＤセンサ２８で撮影して得られるアナログの映像信号が前処理部２９に供給され、ＣＤＳ（Ｃｏｒ−ｒｅｌａｔｅｄ　Ｄｏｂｌｅ　Ｓａｍｐｌｉｎｇ：相関二重サンプリング）処理により、画素信号が抽出され、ＡＧＣ（Ａｕｔｏｍａｔｉｃ　Ｇａｉｎ　Ｃｏｎｔｒｏｌ）処理によって利得が制御され、ＡＤＣ（アナログーデジタル変換）処理によってデジタル映像データに変換される。このデジタル映像データは、カメラ信号処理部３０によって輪郭補正などの処理がなされた後、映像符号化／復号部３１に供給されて、ＭＰＥＧ２規格に基づく圧縮符号化がなされ、多重化／分離部３４に供給される。
【００６１】
また、この撮影時にステレオマイクロホン１１から入力されたアナログの音声信号は、ＡＤ／ＤＡ変換部３２でデジタル音声データに変換され、さらに、音声符号化／復号部３３で圧縮符号化処理されて多重化／分離部３４に供給される。
【００６２】
多重化／分離部３４では、映像符号化／復号部３１から供給される圧縮符号化映像データと音声符号化／復号部３３からの圧縮符号化音声データとが多重化され、これらの多重化データが、通常はＨＤＤ３５に記録され、ＨＤＤ３５が満杯で記録できないなどの特別の場合には、カードスロット１９に装着されたＳＤカードあるいはＭＭＣなどのカード型記録媒体に記録される（以下では、ＨＤＤ３５を記録媒体の代表として説明する）。
【００６３】
一方、この撮影期間中では、カメラ信号処理部３０において、処理されたデジタル映像データがＤＡ変換され、アナログの映像信号として表示パネル１５に供給される。これにより、この表示パネル１５での表示画面１５ａ（図２）にこの映像信号による動画像が表示され、撮影中の映像のモニタをすることができる。
【００６４】
ＨＤＤ３５に記録された映像のモニタの指示があると、これから読み出された多重化データが多重化／分離部３４に供給されて圧縮符号化映像データと圧縮符号化音声データとに分離される。分離された圧縮符号化映像データは、映像符号化／復号部３１に供給されてデジタル映像データに復号され、さらに、カメラ信号処理部３０でアナログの映像信号に変換された後、表示パネル１５に供給される。これにより、ＨＤＤ３５から読み出された映像のモニタができる。また、多重化データが多重化／分離部３４で分離された圧縮符号化音声データは、音声符号化／復号部３３に供給されてデジタル音声データに復号され、さらに、ＡＤ／ＤＡ部３２でアナログの音声信号に変換された後、スピーカ１２に供給される。これにより、ＨＤＤ３５から読み出された音声が再生される。
【００６５】
ＡＶジャック２１にテレビ受像機（図示せず）を接続し、例えば、図２に示す状態にして操作キー部１６や十字／決定キー４を操作することにより、ＨＤＤ３５の映像，音声データの再生を指示すると、ＨＤＤ３５から多重化データが読み出され、上述のようにして、多重化／分離部３４，映像符号化／復号部３１，カメラ信号処理部３０を介してアナログの映像信号が得られ、この映像信号がＮＴＳＣエンコーダ３７でＮＴＳＣ方式の映像信号となり、ＡＶジャック２１からテレビ受像機に供給される。また、多重化／分離部３４，音声符号化／復号部３３，ＡＤ／ＤＡ部３２を介してアナログの音声信号が得られ、これがＡＶジャック２１からテレビ受像機に供給される。これにより、ＨＤＤ３５に記録された映像，音声データをテレビ受像機でモニタすることができる。
【００６６】
また、ＵＳＢジャック２０にパソコン（図示せず）を接続し、例えば、図２に示す状態にして操作キー部１６や十字／決定キー４を操作することにより、ＨＤＤ３５の映像，音声データの再生をパソコンに送ることを指示すると、ＨＤＤ３５から多重化データが読み出され、この多重化データが、ＵＳＢコントローラ３６の制御のもとに、ＵＳＢジャック２０からパソコンに供給される。また、パソコンからＵＳＢジャック２０を介して供給される多重化データも、ＨＤＤ３５に記録することもできる。この場合、ＵＳＢジャックから入力される多重化データを多重化／分離部３４に供給するようにすることにより、この多重化データの映像や音声を表示パネル１５やスピーカに供給するようにすることにより、ＨＤＤ３５への記録と同時にモニタが可能である。
【００６７】
さらに、カードスロット１８に通信機能内蔵型カードを装着することにより、この第１の実施形態が、ネットワークを介して、他の端末との間で無線通信が可能となる。そこで、このような無線通信が可能な状態とし、例えば、図２に示す状態にして操作キー部１６や十字／決定キー４を操作することにより、メールを指示すると、メールの送受信ができる。この場合、カードスロット１８内に装着されているＨＤＤ３５に記録されている多重化データを電子メールの送信データとすることができる。かかる多重化データを送信データとする場合には、必要な多重化データをＨＤＤ３５を読み出し、上記のように、多重化／分離部３４や映像符号化／復号部３１，音声符号化／復号部３３で復号して一旦図示しないＲＡＭに記憶し、操作キー部１６や十字／決定キー４を操作することによって復号した映像データを加工したり、文章などを付加したりすることにより、メール用の映像データを作成し、しかる後、映像符号化／復号部３１や音声符号化／復号部３３，多重化／分離部３４で処理して圧縮符号化映像データと圧縮符号化音声データとの多重化データを作成し、これをカードスロット１９に装着されているカード型記録媒体に記録する。しかる後、カードスロット１８でＨＤＤ３５から通信機能内蔵型カードへの差し替えを指示を、表示パネル１５の表示画面１５ａでメッセージなどにより、行ない、この指示に基づいてカードスロットでＨＤＤ３５から通信機能内蔵型カードへの差し替えが行なわれると、カードスロット１９に装着されているカード型記録媒体から多重化データが読み出され、通信機能内蔵型カードに供給されて送信させる。また、他の端末から電子メールが多重化データの形式で送信されると、これがカードスロット１８に装着された通信機能内蔵型カードによって受信され、カードスロット１９に装着されているカード型記録媒体に記録される。そして、例えば、図２に示す状態にして操作キー部１６や十字／決定キー４を操作することにより、受信メールのモニタを指示すると、このカード型記録媒体から受信メールが読み出され、多重化／分離部３４や映像符号化／復号部３１，音声符号化／復号部３３などで上記のように処理されて、このメールを表示パネル１５やスピーカ１１で再生させることができる。
【００６８】
なお、カードスロット１９内のカード型記録媒体に記録された受信メールは、カードスロット１８で通信機能内蔵型カードからＨＤＤ３５への差し替えを行なって所定の操作を行なうと、このＨＤＤ３５に移し替えることができる。
【００６９】
次に、この第１の実施形態の操作及びこれに伴う動作について説明する。
【００７０】
図１１はこの第１の実施形態の撮影に関する操作手順及びそれによる動作を示すフローチャートである。
【００７１】
同図において、まず、図２もしくは図６に示すように、蓋体３を開いた状態として表示パネル１５の表示画面１５ａが見える状態とし（ステップ１００）、モードノブ９を操作して所定の撮影モードを選択する（ステップ１０１）。モードノブ９が「Ｌ」位置を選択しているときには、装置は電源がオフしている（ステップ１１０）。
【００７２】
いま、図７に示すような使用状態とし、モードノブ９を操作して「Ｃ」位置を選択すると（ステップ１０１）、連続撮影モードの撮影スタンバイ状態となり（ステップ１０７）、シャッタボタン７を押すと、ビデオカメラが撮影を開始する（ステップ１０８）。この撮影された映像信号はＨＤＤ３５に記録される。その後、再びシャッタボタン７を押すと、撮影が終了し（ステップ１０９）、連続撮影モードのスタンバイ状態に戻る（ステップ１０７）。そして、モードノブ９を「Ｌ」位置に戻すと（ステップ１０１）、装置の電源がオフする（ステップ１１０）。
【００７３】
図７に示す状態でモードノブ９で「Ｓ」位置を選択すると（ステップ１０１）、スナップ撮影モードのスタンバイ状態となる（ステップ１０２）。この状態でシャッタボタン７を押すと、ビデオカメラが撮影を開始し（ステップ１０５）、このときのスナップ撮影設定時間が経過すると、撮影が自動的に終了し（ステップ）、スナップ撮影モードのスタンバイ状態に戻る（ステップ１０２）。
【００７４】
ここで、このスナップ撮影モードの実行中の撮影期間通知カウンタ６の動作について説明する。
【００７５】
図１２はその一具体例を示すものであって、ここでは、撮影期間通知カウンタ６は１２個のＬＥＤ６ａから構成されるものとする。但し、この個数に限定されるものではないことは勿論である。
【００７６】
スナップ撮影モードのスタンバイ状態（図１１のステップ１０２）でシャッタボタン７が押され、スナップ撮影が開始されると、図１２（ａ）に示すように、撮影期間通知カウンタ６の全てのＬＥＤ６ａが点灯状態となり、撮影が進むにつれて、所定時間が経過する毎に１つずつＬＥＤ６ａが消灯していき、図１２（ｂ），（ｃ），（ｄ），……に撮影期間通知カウンタ６が変化していく。そして、このときのスナップ撮影設定時間が経過すると、撮影が自動的に終了し（図１１のステップ１０６）、撮影期間通知カウンタ６は全てのＬＥＤ６ａが消灯して図１２（ｍ）の状態となる。
【００７７】
ここで、いま、スナップ撮影するときのスナップ撮影設定時間をＴｓとし、撮影期間通知カウンタ６を構成するＬＥＤ６ａの個数をＮとすると、
所定時間ｔ＝Ｔｓ÷Ｎ
が経過する毎に１つずつＬＥＤ６ａが消灯することになる。例えば、Ｔｓ＝５秒とし、Ｎ＝１２個とすると、
所定時間ｔ＝５÷１２＝ほぼ４２０ミリ秒
が経過する毎にＬＥＤ６ａが１つずつ消灯していくことになる。
【００７８】
かかる撮影期間通知カウンタ６によると、スナップ撮影設定時間Ｔｓが短いほど消灯するＬＥＤ６ａの個数が速い速度で増加していくし、また、スナップ撮影設定時間Ｔｓが長いほど消灯するＬＥＤ６ａの個数が遅い速度で増加していく。そして、撮影される側は、撮影期間通知カウンタ６のこのような表示の変化を見ることにより、撮影期間が半分経過した、撮影期間が３／４経過した、といったようなことが判り、撮影の残り時間を感覚的に認識することができる。
【００７９】
図１３は撮影期間通知カウンタ６の動作の他の具体例を示すものであって、ここでも、この撮影期間通知カウンタ６は１２個のＬＥＤ６ａから構成されるものとするが、この個数に限定されるものではないことは勿論である。
【００８０】
図１２に示す具体例は、ＬＥＤ６ａが１つずつ消灯していくものであったが、この具体例は、所定時間ｔ’が経過する毎に複数個ずつ消灯していくものである。ここで、この複数個をｎとし、スナップ撮影設定時間をＴｓ、撮影期間通知カウンタ６を構成するＬＥＤ６ａの個数をＮとすると、
所定時間ｔ’＝Ｔｓ÷（Ｎ÷ｎ）＝ｎ×Ｔｓ÷Ｎ
が経過する毎にｎ個ずつＬＥＤ６ａが消灯することになる。例えば、Ｔｓ＝５秒、Ｎ＝１２個、ｎ＝３個とすると、
所定時間ｔ’＝３×５÷１２＝１．２５秒
が経過する毎にＬＥＤ６ａが３個ずつ消灯していくことになる。
【００８１】
この具体例の場合も、図１２に示した具体例と同様、スナップ撮影設定時間Ｔｓの長さに応じて消灯するＬＥＤの個数の増加の速度が異なるものであり、撮影される側としては、撮影の残り時間を感覚に認識することができる。
【００８２】
なお、撮影期間通知カウンタ６の表示方法としては、上記の具体例のみに限らず、他の方法によってもよい。例えば、所定時間が経過する毎に、消灯するＬＥＤ６ａ、もしくは点灯する１以上のＬＥＤ６ａが１乃至複数個ずつ移っていくようにしてもよい。
【００８３】
図１１に戻って、上記のスナップ撮影設定時間Ｔｓを変更する場合には、図８に示すような使用状態とし（ステップ１００）、モードノブ９を「Ｓ」位置にして（ステップ１０１）、スナップ撮影モードのスタンバイ状態として（ステップ１０２）、操作キー部１６での「ＭＥＮＵ」キー（図２）を操作する（ステップ１０３）。これにより、図示しないが、表示パネル１５の表示画面１５ａ（図２）に各設定のためのメニュー画面が表示されるが、そのうちのメニュー「スナップ撮影設定時間」を選択すると（ステップ１０４）、スナップ撮影設定時間の選択画面が表示画面１５ａに表示される。その選択画面では、例えば、「５秒」，「７秒」，「１０秒」といったような予め決められた時間を選択することができるし、また、操作キー部１６（図２）でのテンキーを用いて任意の時間を設定可能とする項目も選択できるようにしている。従って、この選択画面で所定の項目を選択し、さらに、項目によってはテンキーを用いることにより、スナップ撮影設定時間Ｔｓを変更することができる。
【００８４】
図１４はこの第１の実施形態の撮影以外の動作に関する操作手順及びそれによる動作を示すフローチャートである。
【００８５】
同図において、いま、図２及び図８に示すように、表示パネル１５を開いて、「Ｌ」位置にあるモードノブ９を「Ｓ」または「Ｃ」位置（図２）に移すと、電源がオンし（ステップ２００）、スナップ撮影モードまたは連続撮影モードのスタンバイ状態となる（ステップ２０１：これは図１１でのステップ１０２，１０７に相当する）。この設定された撮影モードがスナップ撮影モードであるときには、図１５に示すようなこの撮影モードのスタンバイ画面▲１▼が表示画面１５ａ（図２，図８）に表示される。ここでは、スナップ撮影設定時間Ｔｓを１０秒としており、これにより、スタンバイ画面▲１▼には、スナップ撮影設定時間Ｔｓに関して、「ＴＳＣ：１０ｓｅｃ」と表示され、残り時間を「１０秒」とするとともに、残り時間を示すインジケータ３８が表示される。
【００８６】
かかるスタンバイ状態で、表示パネル１５を図７に示す状態として、シャッタボタン７を押すと（図１１でのステップ１０５，１０８に相当する）、設定された撮影モードで撮影が開始し、撮影した映像はＨＤＤ３５に記録されて保存される（ステップ２０２）。このとき、撮影モードがスナップ撮影モードである場合には、図１５に示すようなモニタ画面▲２▼が表示画面１５ａに表示される。このモニタ画面▲２▼では、このときの撮影モードがスナップ撮影モードである場合、現在撮影されているモニタ映像とともに、現在の撮影時間の経過を示すインジケータ３８と残り時間が「６秒」というように表示される。いずれの撮影モードにおいても、撮影が終わると、撮影スタンバイ状態となる（ステップ２０１）。
【００８７】
また、かかる撮影モードい「ＭＥＮＵ」キー（図２）を操作すると、図示しないが、表示画面１５ａにメニュー画面が表示され、このメニュー画面でメニュー「直前に撮影した映像をみる」を選択すると、表示画面１５ａにいま撮影した映像がＨＤＤ３５から再生されて表示画面１５にモニタ画面として表示され、これを撮影者などが見ることができる。また、このモニタ画面には、「削除」ボタンとが表示され、この「削除」ボタンを選択すると、このモニタしている映像がＨＤＤ３５から削除される（ステップ２０４）。
【００８８】
上記のスタンバイ状態（ステップ２０１）で、図２，図３または図８に示すような状態とし、操作キー部１６で「ＭＥＮＵ」キー（図２）を操作すると（これは、図１１でのステップ１０３に相当する）、図１５に示すようなモード選択画面▲３▼が表示画面１５ａに表示される（ステップ２０５）。このモード選択画面では、撮影を選択するためのメニュー「撮る」や過去に撮影してＨＤＤ３５に記録されている映像を閲覧するためのメニュー「ブラウズ」，メールを行なうためのメニュー「メール」などが選択可能に設定されている。勿論、図示しないが、図１１でのステップ１０４で示すスナップ撮影設定時間Ｔｓを変更するためのメニューなども設定されている。
【００８９】
図１５に示すモード選択画面▲３▼でメニュー「ブラウズ」を選択すると（ステップ２０５）、図１６に示すような撮影映像一覧画面▲４▼が表示される（ステップ２０６）。この撮影映像一覧画面▲４▼では、これまで撮影されてＨＤＤ３５に記録されている映像が一覧で表示されるものであって、これから再生される映像Ａ，Ｂ，Ｃ，……が静止画もしくは動画として、簡単なコメントとともに、縦方向に並べて表示される。このコメントとしては、撮影日時やタイトル，概略などの簡単な内容を表わすものである。また、この撮影映像一覧画面▲４▼では、枠状のカーソル３９が固定した位置に表示されており、これに合致した映像が選択された状態にある。そして、順次／決定キー４のスクロール操作により、一覧画面を上下にスクロールさせることができ、ＨＤＤ３５に記録されている映像を順次画面に表示させるようにすることにより、所望の映像をカーソル３９に一致させて選択するようにすることができる。図１５では、かかるスクロールにより、撮影映像一覧画面▲４▼が画面▲４▼−１，▲４▼−２，▲４▼−３，▲４▼−４と変化し、カーソル３９を映像Ｅに一致させた状態を示している。
【００９０】
画面▲４▼−４で十字／決定キー４を決定操作すると、選択されている映像Ｅに関するコメントの全文が表示され、再度十字／決定キー４を決定操作すると、この映像Ｅの選択が確定し、図１６に示すようなこの映像Ｅに関する情報のみを拡大表示した撮影映像閲覧画面▲５▼が表示画面１５ａに表示される（ステップ２０７）。この撮影映像閲覧画面▲５▼では、画面▲４▼−４での映像Ｅに関するものが表示されるものであって、また、映像Ｅの動画像が最初から表示される。そして、この撮影映像閲覧画面▲５▼で表示される「ＭＥＮＵ」ボタン４０を、十字／決定キー４の操作により、図示しないカーソルで指定し、決定操作をすると、あるいは操作キー部１６での「ＭＥＮＵ」キーを操作すると、図１６に示すような撮影メニュー画面▲６▼が表示される（ステップ２０８）。この撮影メニュー画面▲６▼では、「編集」，「メール作成」，「削除」，「戻る」といったようなメニューが選択可能に表示される。
【００９１】
かかる撮影メニュー画面▲６▼でメニュー「削除」を十字／決定キー４で選択すると、この選択されている映像Ｅの多重化データがＨＤＤ３５から削除される（ステップ２１３）。従って、不要なデータは、かかる操作によってＨＤＤ３５から取り除くことができる。なお、撮影メニュー画面▲６▼でメニュー「戻る」を選択すると、ステップ２０５に戻り、図１５に示すモード選択画面▲３▼が表示された状態となる。
【００９２】
また、撮影メニュー画面▲６▼でメニュー「編集」を十字／決定キー４で選択すると、図１６に示すような編集選択画面▲７▼が表示画面１５ａに表示される（ステップ２０９）。この編集選択画面▲７▼では、「コメント」，「プリクラフレーム」，「クレジット」などといった編集メニュー画選択可能に表示される。メニュー「コメント」を十字／決定キー４で選択すると、選択されたいる映像Ｅに対して、コメントの修正や削除，追加などの処理が可能であり（ステップ２１０）、メニュー「プリクラフレーム」を選択すると、この映像Ｅにプリクラのようなフレームを付け加える加工をすることができ（ステップ２１１）、メニュー「クレジット」を選択すると、この映像Ｅを、映画のように、タイトルやオープニング，エンディングを加えたものに加工することができる（ステップ２１２）。そして、これらの選択した編集が終わると、撮影メニュー画面▲６▼に戻る。
【００９３】
さらに、撮影メニュー画面▲６▼でメニュー「メール作成」を選択すると（ステップ２０８）、ステップ２１８に進んで選択した映像Ｅをメールで他の端末に送ることができる。従って、例えば、この映像Ｅをメールで相手先に送る場合、まず、撮影メニュー画面▲６▼でメニュー「編集」を選択して（ステップ２０９）、上記の「コメント」，「プリクラフレーム」，「クレジット」といった好みの編集を行ない（ステップ２１０，２１１，２１２）、しかる後、撮影メニュー画面▲６▼でメニュー「メール作成」を選択することにより（ステップ２０８）、選んだ映像Ｅを適度に編集して相手にメールとして送ることができる。
【００９４】
なお、先の直前に撮影した映像を見る場合も（ステップ２０３）、かかるステップ２０８〜２１２の編集やメール作成の選択が可能であり、同様にして編集した映像を相手にメールで送ることができる（従って、ステップ２０３からステップ２１８に進むことができる）。
【００９５】
図１５に示すモード選択画面▲３▼でメニュー「メール」を選択すると（ステップ２０５）、表示画面に、図示しないが、メールトップ画面が表示され、受信メールを読むモード（受信メール閲覧モード）とメールを送るモード（メール送信モード）と「戻る」のいずれかを選択できる（ステップ２１４）。受信閲覧モードを選択したときには、受信メール一覧画面が表示画面１５ａに表示され、その中から希望のものを選択することができる（ステップ２１５）。この一覧では、一度でも閲覧したメールと閲覧していないメールとが区別できるような表示となっている。この一覧から希望のものを選択すると、ＨＤＤ３５からこのメールが読み出され、表示画面１５ａに表示される。これが音声を伴う場合には、これもスピーカ１２で再生される（ステップ２１６）。
【００９６】
このメールに対して返信のための操作をすると、ステップ２１７に進む。また、上記のメールトップ画面でメール送信モードを選択すると、この場合も、ステップ２１７に進む。このステップ２１７では、送信メールに映像を添付する場合には、その映像をＨＤＤ３５に記録した映像から選択できるようにしたものである。そこで、映像を添付することを選択した場合には、ステップ２０６，２０７の動作が行なわれ、必要な映像を選択することができる。しかる後、相手先のアドレス設定の画面に表示が移る（ステップ２１８）。なお、ステップ２１７では、映像を添付しないことも選択できる。また、ステップ２０３，２０８からメール作成へ進む場合には、このとき既に添付する映像が決まっているので、ステップ２１８に進むことになる。
【００９７】
アドレス設定（ステップ２１８）が終了すると、図１６に示すような送信メール画面▲９▼が表示画面１５ａに表示される（ステップ２１９）。この送信メール画面▲９▼では、操作キー部１６（図１２）を操作してタイトルや本文などをメールに入力することができるようにしたものである。また、この送信メール画面▲９▼では、添付する映像も表示され、送信メールの内容の確認も行なうことができる。映像を添付しない場合には、勿論この送信メール画面▲９▼に映像は表示されない。
【００９８】
以上の送信メールが完成し、十字／決定キー４を決定操作すると、通信機能内蔵型カードがカードスロット１８に装着されているか否か確認し、装着されていれば、直ちにこの通信機能内蔵型カードを用いてメールの送信が行なわれ、この通信機能内蔵型カードが装着されていなければ、表示画面１５ａなどでかかる通信機能内蔵型カードをカードスロット１８に挿入するように要求して（この場合、カードスロット１８にＨＤＤ３５が装着されているときには、上記のように、このＨＤＤ３５から通信機能内蔵型カードへの差し替えを指示する）通信機能内蔵型カードを装着した状態とした後、メールの送信を行なう（ステップ２２０）。そして、メールが終了すると（ステップ２２１）、上記のメールトップ画面に戻る（ステップ２１４）。また、このメールトップ画面で「戻る」を選択すると、モード選択画面▲３▼に戻る（ステップ２０５）。
【００９９】
以上のように、この第１の実施形態では、ＨＤＤ３５に記録したデータをテレビ受像機やパソコンに送ることができるばかりでなく、通信回線を介してメールにも使用することができる。
【０１００】
図１７はこの第１の実施形態であるビデオカメラ付き記録装置の充電装置の一具体例を示す図であって、４１はこのビデオカメラ付き記録装置の装置本体、４２は充電装置、４３は架台（クレードル）、４４は載置部、４５は接点端子であり、前出図面に対応する部分には同一符号を付けて重複する説明を省略する。
【０１０１】
図９で説明したように、この第１の実施形態では、バッテリ２６を内蔵しており、また、図１（ｅ），（ｆ）に示したように、例えば、下ケース２の底面と背面との境付近に電源接点端子が設けられ、このバッテリ２６を充電可能としている。
【０１０２】
図１７（ａ），（ｂ）は充電装置４２でかかるバッテリ２６の充電を行なっている状態を示すものであって、この充電装置４２は、図１７（ｃ）に示すように、装置本体４１が安定に載置されるように形成された窪み状の載置部４４を備えた架台４３からなり、この載置部４４の底面４４ａと背面４４ｂとの境付近に接点端子４５が設けられている。この載置部４４に、下ケース２の底面（図１）が乗るようにして、装置本体４１を載置すると、この装置本体４１の下ケース２の底面と背面との境付近に設けられている電源接点端子１３が載置部４４内の接点端子４５を押すようにして接触し、これにより、充電装置４２の図示しない電源スイッチがオンして、装置本体４１内のバッテリ２６（図９）の充電が行なわれることになる。
【０１０３】
このようにして、この第１の実施形態では、バッテリ２６の充電を可能に構成しているものであるから、電源としての内蔵電池を取り替えるような手間を省くことができるし、また、簡単にバッテリ２６の充電を行なうことができる。
【０１０４】
なお、この第１の実施形態では、電源接点端子１３の設定位置としては、図１で説明した位置のみに限定されるものではなく、図１（ｅ），（ｆ）で示す下ケース２の底面，背面であれば、いずれの位置としてもよい。また、この電源接点端子１３の位置に応じて、図１７（ｃ）に示す充電装置４２において、接点端子４５の位置を決めることはいうまでもない。
【０１０５】
次に、本発明の第２の実施形態について説明する。
【０１０６】
図１８は本発明によるビデオカメラ付き記録装置の第２の実施形態の蓋体が閉じた状態を示す外観図であって、同図（ａ）は正面図、同図（ｂ）は左側面図、同図（ｃ）は右側面図、同図（ｄ）は上面図、同図（ｅ）は底面図、同図（ｆ）は裏面図であり、１ａは突状部、５０はヒンジ、５０ａは窪み部、５０ｂは連結片、５０ｃは回転軸、５１は回転軸、５２は撮影時間設定部、５２ａは設定ノブ、５３はすべり止め、５４は把っ手、５５は底蓋、５５ａはノブであり、図１に対応する部分には同一符号を付けて重複する説明を省略する。
【０１０７】
図１８（ａ）〜（ｃ）において、先の第１の実施形態と同様、上ケース１と下ケース２とからなる筐体の上ケース１側に蓋体３が設けられている。この蓋体３は、ヒンジ５０により、矢印Ａ方向に回動して上ケース１に関して開閉可能に取り付けられており、ここでは、上ケース１の表面に接して閉じた状態にある。このヒンジ５０は、上ケース１の蓋体３側に窪み部５０ａを挾んで形成されている２つの突状部１ａにわたって設けられた回転軸５０ｃと、窪み部５０ａに嵌め込まれてこの回転軸５０ｃに取り付けられた連結片５０ｂとからなり、蓋体３は、この回転軸５０ｃに垂直方向の回転軸５１を介して、連結片５０ｂに取り付けられている。これにより、蓋体３はこの回転軸５１を軸として回転することができる。また、これら２つの突状部１ａ夫々の頂部に、充電用の電源接点端子１３が設けられている。また、蓋体３の連接片５０ｂとの取付部とは反対側の先端側の両側面に把っ手５４が設けられており、この把っ手５４を掴むことにより、蓋体３を開くのに蓋体３を持ち易くしている。
【０１０８】
この第２の実施形態においても、先の第１の実施形態と同様、図示しないが、ビデオカメラが内蔵され、また、ＨＤＤなどの上記の記録媒体が装着可能となっており、この筐体の左側面部に、図１８（ｂ）に示すように、このビデオカメラのカメラレンズ５が設けられている。ビデオカメラで撮影された被写体の映像信号は、画像圧縮などの処理がなされた後、かかる記録媒体に記録される。
【０１０９】
また、先の第１の実施形態と同様に、カメラレンズ５をその全周にわたって囲むように、即ち、撮影される側から見ることができるように、例えば、ＬＥＤなどの発光素子が複数個環状に配列されてなる撮影期間通知カウンタ６が設けられており、スナップ撮影モードで撮影を行なうときには、図１２や図１３で説明したように動作し、撮影される側から残りの撮影時間をある程度認識できるようにしている。
【０１１０】
筐体の右側面側には、図１８（ｃ）に示すように、撮影をスタート／ストップさせるためのシャッタボタン７と、カメラレンズ５をワイド（Ｗ）から望遠（Ｔ）まで調整することができるようにしたズーム操作部１０とが設けられている。また、これらシャッタボタン７とズーム操作部１０との近くで、撮影中何も操作しないときに親指を置いておく場所にすべり止め５３が設けられている。
【０１１１】
筐体の上面には、図１８（ｄ）に示すように、ステレオのマイクロホン１１と撮影時間設定部５２とが設けられている。この撮影時間設定部５２は、スナップ撮影モードでのスナップ撮影設定時間を設定変更できるようにしたものであって、設定ノブ５２ａを移動させることにより、スナップ撮影設定時間を変更することができる。ここでは、５〜１０秒の範囲でスナップ撮影設定時間を変更することができるものとするが、これのみに限るものではないことはいうまでもない。
【０１１２】
ここで、この第２の実施形態では、蓋体３を回動させることによって開けると、電源が自動的にオンし、撮影が可能な状態となるが、このときの初期設定撮影モードとしては、自動的にスナップ撮影モードが設定されるものとする。従って、蓋体３を開いてシャッタボタン７を操作すると、撮影時間設定部５２で設定ノブ５２ａの位置によって決まるスナップ撮影設定時間のスナップ撮影モードで撮影が開始されることになる。
【０１１３】
下ケース２の底面には、図１８（ｅ）に示すように、底蓋５５が設けられている。この底蓋５５は、ノブ５５ａを「ｃｌｏｓｅ」位置にすることにより、ロックされ、「ｏｐｅｎ」位置にすると、開くことができる。
【０１１４】
なお、この第２の実施形態では、スナップ撮影モード専用としてもよいが、後述する画面操作により、スナップ撮影モードと連続撮影モードとの選択を行なうことができるようにすることができるし、また、この場合、次の選択が行われるまでは、そのときの撮影モードがそのまま維持されるようにしてもよいし、電源がオフされると、この選択がリセットされ、次に電源がオンされると、スナップ撮影モードが初期撮影モードとして設定されるようにしてもよい。
【０１１５】
図１９は図１８に示す第２の実施形態での蓋体３を開いたときの第１の状態を示すものであって、同図（ａ）はその正面図、同図（ｂ）は右側面図、同図（ｃ）は底面図であり、図１８及び図２に対応する部分には同一符号を付けている。
【０１１６】
図１９（ａ），（ｂ）において、図１８（ａ）に示す蓋体３が閉じた状態から蓋体３を上記のヒンジ５０の回転軸５０ｃを中心に回動させることにより、蓋体３が開いた状態を示すものである。蓋体３に表示パネル１５が設けられており、このように蓋体３を開くことにより、表示画面１５ａが見られるようになり、この表示パネル１５の表示画面１５ａで撮影中の映像のモニタや記録媒体からの映像の再生，各種の設定操作などを操作キー部１６の操作によって行なうことができる。また、この第２の実施形態でも、第１の実施形態と同様にして、通信機能を持たせることにより、表示パネル１５の表示画面１５ａを電子メールなどの通信のための表示も用いることができる。
【０１１７】
また、図１８（ａ）に示す状態では蓋体３によって塞がれていた上ケース１の表面には、操作キー部１６が設けられている。この操作キー部１６には、「メール」キーや「クリア」キー，「ＭＥＮＵ」キーなどの機能キーや十字／決定キー４とともに、複数の文字入力キーであるテンキーが、さらには、スピーカ１２が設けられている。これらの各操作キーについては、先の第１の実施形態と同様の機能を有するものであるが、上記第１の実施形態では、蓋体３が閉じた状態にあっても、スピーカ１２や十字／決定キー４が外部に露出し、特に十字／決定キー４は、操作キー部１６が閉じられていても、使用可能であったが、この第２の実施形態では、スピーカ１２や十字／決定キー４は蓋体３で塞がれ、使用不能となる。しかし、図１８に示すように、蓋体３が閉じた状態では、装置本体は電源がオフの状態にあるので、各別問題がないし、また、スピーカ１２や十字／決定キー４は外部からの衝撃に対して保護されることになる。
【０１１８】
また、図１９（ｃ）は筐体の底面での底蓋５５を開いた状態を示すものであって、この状態でスロット１８での通信機能内蔵型カードやＨＤＤの出し入れ、スロット１９でのカード型記録媒体の出し入れを行なうことができるし、また、ＵＳＢジャック２０やＡＶジャック２１が使用可能となる。
【０１１９】
また、かかる状態で、図１９（ａ），（ｂ）で示す状態で、表示画面１５ａでのメニュー画面などの画面を見ながら、操作キー部１６を操作することにより、先に説明したように、撮影モードをスナップ撮影モードから連続撮影モードに、あるいはその逆に切り替えることができる。
【０１２０】
図２０は図１８（ａ）に示す状態から蓋体３を開いて上ケース１の面にほぼ垂直な状態とし、次いで、連結片５０ｂに関して回転軸５１を中心に蓋体３をほぼ９０゜回転させた状態を示すものであって、これは撮影のときの状態である。
【０１２１】
これは、上記第１の実施形態での図６に示す状態に相当するものであって、図２０（ａ）は被写体側から見た図、図２０（ｂ）は撮影するユーザ側から見た図であり、前出図面に対応する部分には同一符号を付けている。
【０１２２】
先の第１の実施形態と同様、撮影する場合には、表示パネル１５の表示画面１５ａが、例えば、図２０（ｂ）に示すように、カメラレンズ５の光軸にほぼ垂直で、かつ図示しないユーザ側を向くように、その向きが設定される（なお、表示画面１５ａが真っ直ぐ水平方向を向くばかりでなく、若干上向き、あるいは若干下向きとして撮影が行なわれる場合もある）。この場合、撮影される側から見ると、図２０（ａ）に示すように、カメラレンズ５の周りの撮影期間通知カウンタ６を見ることができ、スナップ撮影モードで撮影が行なわれているときには、これにより、上述したように、撮影の残り時間を感覚的に認識することができる。なお、連続撮影モードのときには、撮影期間通知カウンタ６の特定のＬＥＤまたは全てのＬＥＤの点灯状態を固定することにより、撮影される側は撮影状態にあることを認識することができる。
【０１２３】
図２１（ａ）は撮影時でのユーザによる取り扱い状態を示す斜視図であって、斜め下方向が撮影方向である。
【０１２４】
図２１（ａ）において、ユーザは、例えば、右の手２５で装置本体４１を握り、撮影する。この場合、この手２５の親指以外の４本の指と手の平とで筐体のカメラレンズ５よりも下の部分を握ることにより、親指によってシャッタボタン７を操作することができる。この場合、表示パネル１５の表示画面１５ａは、図２０に示すように向きが設定される。
【０１２５】
図２１（ｂ）は操作キー部１６を用いて使用する場合のユーザによる取り扱い状態を示す図である。
【０１２６】
同図において、この場合には、表示パネル１５が、図１９に示したように、開いており、親指以外の４本の指と手の平とで装置本体４１を握り、親指で操作キー部１６などを操作する。
【０１２７】
このような使用形態では、記録媒体からの映像の再生や映像の検索，文字編集，メールの送受信などのための操作を、表示画面１５ａの表示内容を用いながら、行なうことができる。
【０１２８】
以上のように、この第２の実施形態においても、筐体の対して、蓋体３に設けられている表示パネル１５の表示画面１５ａを任意の方向に向けることができ、従って、表示画面１５ａを使用形態に応じた向きとすることができるので、撮影や操作などで扱い易いものとなる。
【０１２９】
図２２はこの第２の実施形態の内部構造の一具体例を示す透視図であって、同図（ａ）は正面側からの透視図、同図（ｂ）は左側面側からの透視図、同図（ｃ）は底面側からの透視図である。なお、図９及び図１８に対応する部分には同一符号を付けている。
【０１３０】
この第２の実施形態は、蓋体３の上ケース１への取り付け部（ヒンジ５０）やスピーカ１２が操作キー部１６に取り付けられている点などの上記の説明以外、図２２に示すように、図９に示す先の第１の実施形態と同様の内部構成をなしている。
【０１３１】
この第２の実施形態の回路構成も、図１０に示した第１の実施形態と同様であり、従って、カードスロット１８にＣＦカードやＰＨＳカード，ＰＣＭＣＩＡカードのような通信機能内蔵型カードを装着することにより、通信機能を備えるようになるし、また、このカードスロット１８にＨＤＤを装着することもできる。カードスロット１９にＳＤカードやＭＭＣなどのカード型記録媒体を装着することにより、ＨＤＤばかりでなく、このカード型記録媒体に撮影した映像やメールなどを記録することができる。また、かかるＵＳＢジャック２０から図示しないパソコンに接続することができるし、ＡＶジャック２１から図示しないテレビ受像機に接続することができる。
【０１３２】
図２３はこの第２の実施形態の撮影に関する操作手順及びそれによる動作を示すフローチャートである。ここでは、撮影モードとして、スナップ撮影モードと連続撮影モードとの切替え選択ができるものとする。
【０１３３】
同図において、まず、図２０，図２１に示すように、蓋体３を開いた状態として表示パネル１５の表示画面１５ａが見える状態とすると（ステップ３００）、装置本体４１が自動的に電源オンとなり、撮影モードのスタンバイ状態となる（ステップ３０１）。かかるスタンバイ状態では、初期撮影モードとして、スナップ撮影モードが設定されており、この状態でシャッタボタン７を操作すると（ステッ３０５プ）、スナップ撮影モードで撮影が開始する（ステップ３０６）。そして、そのとき設定されているデフォルトのスナップ撮影設定時間（例えば、５秒）が経過すると、自動的に撮影が終了して（ステップ３０７）、撮影スタンバイ状態に戻る（ステップ３０１）。
【０１３４】
また、連続撮影モードに切り替えたい場合には、操作キー部１６の「ＭＥＮＵ」キー（図１９）を操作して表示画面１５ａ上で撮影モードの切替えが可能な状態とし（ステップ３０３）、例えば、スナップ撮影モードから連続撮影モードへの切り替え指示操作をする。これにより、連続撮影モードに設定が切り替えられる（ステップ３０４）。そこで、連続撮影モードでスタンバイ状態にあるとき（ステップ３０１）、シャッタボタン７を操作すると（ステップ３０５）、連続撮影モードで撮影が開始する（ステップ３０８）。そして、この撮影モードでは、スタートボタン７を再度操作すると、撮影が終了し（ステップ３０９）、撮影スタンバイ状態に戻る（ステップ３０１）。
【０１３５】
さらに、スナップ撮影モードでのスナップ撮影設定時間を変更したい場合には、撮影時間設定部５２で設定ノブ５２ａ（図１８（ｄ））の位置を変更して所定のスナップ撮影設定時間の位置に設定する。これにより、スナップ撮影設定時間を、例えば、５秒から７秒へと変更することができる（ステップ３０２）。
【０１３６】
この第２の実施形態においても、撮影した直後の映像を見たり、ＨＤＤなどに記録されている映像を閲覧（ブラウズ）したり、メールを行なったりすることができ、その操作手順は先の第１の実施形態と同様である。従って、この第２の実施形態でのかかる手順についても、図１４〜図１６が適用できるものであり、その説明は省略する。
【０１３７】
図２４はこの第２の実施形態用の充電装置の一具体例を示す斜視図であって、５６は充電装置、５７は架台（クレードル）、５７ａはその上面、５７ｂはその窪み部、５８は接点端子であり、前出図面に対応する部分には同一符号を用いて重複する説明を省略する。
【０１３８】
同図において、充電装置５６は、概略板状をなす架台５７から構成されているものであるが、この架台５７の上面５７ａに、装置本体４１の上ケース１に設けられた突状部１ａ（図１８）が嵌り込む窪み部５７ｂが形成されており、この窪み部５７ｂの底部に２つの接点端子５８（１個のみを示している）が設けられている。つまり、装置本体４１が、図１８に示すように、閉じた状態にあるときのこの装置本体４１の蓋体３側（即ち、上ケース１の表面側）の面とほとんど隙間なく重なり合うように、架台５７の上面５７ａの面形状が形成されている。
【０１３９】
かかる架台５７の上面５７ａ上に、図示するように、装置本体４１を乗せると、この装置本体４１の上ケース１に形成された突状部１ａが架台５７の上面５７ａの窪み部５７ｂに嵌り込み、この突状部１ａに設けられている電源接点端子１３が窪み部５７ｂの接点端子５８に押圧して接触することになり、これにより、装置本体４１内のバッテリ２６（図２２）の充電が開始される。
【０１４０】
このように、この第２の実施形態においても、バッテリの充電が可能であって、簡単に充電を行なうことができる。
【０１４１】
なお、以上の各実施形態では、撮影期間通知カウンタ６が複数の発光素子６ａが環状に配列されたものとしたが、円弧状に配設したものとしてもよいし、また、四角形や六角形などの多角形状に配列するようにしてもよい。
【０１４２】
また、上記各実施形態では、筐体にＨＤＤを着脱可能に設けるようにしたが、筐体内にＨＤＤを内蔵させるようにしてもよい。
【０１４３】
【発明の効果】
以上説明したように、本発明によれば、筐体の第１の面に設けられた円形状の操作キーの中心を通る半径方向の第１の軸を中心に、かつこの操作キーの中心を通る筐体の第１の面に垂直な第２の軸を中心に回動可能に表示パネルが設けられた蓋体が取り付けられているので、あるいはまた、筐体の第１の面側に取り付けられた第１の面に平行な第１の回転軸を中心に回動可能な回動部材に、この回動部材に設けられたこの第１の回転軸に垂直な第２の回転軸を中心に回転可能に、表示パネルが設けられた蓋体が取り付けられので、この表示パネルの表示画面を、この筐体に対して、任意の向きに設定することが可能である。
【０１４４】
また、本発明によると、筐体の第１の面に垂直な第２の面に設けられたビデオカメラのカメラレンズの周りに、複数の発光素子の列からなるカウンタが設けられ、スナップ撮影モードでの撮影時、撮影時間の経過とともに、このカウンタでの発光素子列の発光状態が順次変化して撮影時間の残り時間を表示するものであるから、スナップ撮影時では、撮影される側から撮影時間の残り時間を感覚的に認識することが容易とする。
【０１４５】
さらに、本発明によると、筐体に内蔵の電源装置は充電可能のバッテリであって、筐体の第１の面とは反対側の第４の面にこのバッテリの充電用の接触端子を設け、あるいはまた、筐体の第１の面にこのバッテリの充電用の接触端子を設け、筐体を充電装置の架台に載置することにより、この接触端子からバッテリの充電を可能であるから、バッテリを充電させることができて、かつその充電作業が容易である。
【図面の簡単な説明】
【図１】本発明によるビデオカメラ付き記録装置の第１の実施形態の蓋体が閉じた状態を示す外観図である。
【図２】図１に示す第１の実施形態での蓋体を開いたときの第１の状態を示すものである。
【図３】図１に示す第１の実施形態の蓋体を開いたときの第２の状態を示す図である。
【図４】図１における蓋体３の取り付け部の一具体例を示す構成図である。
【図５】図４に示した取り付け部の機能を示す図である。
【図６】図１及び図２に示す第１の実施形態の撮影時の表示パネルの状態を示す図である。
【図７】図１及び図２に示す第１の実施形態の撮影時でのユーザによる取り扱い状態を示す図である。
【図８】図１及び図２に示す第１の実施形態の操作キー部を用いて使用する場合のユーザによる取り扱い状態を示す図である。
【図９】図１，図２に示す第１の実施形態の内部構造の一具体例を示す透視図である。
【図１０】図１，図２に示す第１の実施形態での回路構成の一具体例を概略的に示すブロック図である。
【図１１】図１，図２に示す第１の実施形態の撮影に関する操作手順及びそれによる動作の一具体例を示すフローチャートである。
【図１２】図１における撮影期間通知カウンタの動作の一具体例を示す図である。
【図１３】図１における撮影期間通知カウンタの動作の他の具体例を示す図である。
【図１４】図１，図２に示す第１の実施形態の撮影以外の動作に関する操作手順及びそれによる動作を示すフローチャートである。
【図１５】図１４でのステップ２０１，２０２，２０５で表示される画面の一具体例を示す図である。
【図１６】図１４でのステップ２０５でブラウズ，メールのモードが選択されたときに表示される画面を示す図である。
【図１７】図１及び図２に示す第１の実施形態の充電装置の一具体例を示す図である。
【図１８】本発明によるビデオカメラ付き記録装置の第２の実施形態の蓋体が閉じた状態を示す外観図である。
【図１９】図１８に示す第２の実施形態での蓋体を開いたときの第１の状態を示すものである。
【図２０】図１８に示す第２の実施形態での蓋体を開いたときの第２の状態を示す図である。
【図２１】図１８〜図２０に示す第２の実施形態の撮影時や操作キー部を用いて使用する場合のユーザによる取り扱い状態を示す図である。
【図２２】図１８〜図２０に示す第２の実施形態の内部構造の一具体例を示す透視図である。
【図２３】図１８〜図２０に示す第２の実施形態の撮影に関する操作手順及びそれによる動作の一具体例を示すフローチャートである。
【図２４】図１８〜図２０に示す第２の実施形態の充電装置の一具体例を示す図である。
【符号の説明】
１　上ケース
１ａ　突出部
１ｂ　突状部
２　下ケース
３　蓋体
３ａ　窪み部
４　十字／決定キー
５　カメラレンズ
６　撮影期間通知カウンタ
６ａ　発光素子
７　シャッタボタン
８　モードセレクタ
９　モードノブ
１０　ズーム操作部
１１　マイクロホン
１２　スピーカ
１３　電源接点端子
１５　表示パネル
１５ａ　表示画面
１６　操作キー部
１７　ヒンジ
１８，１９　カードスロット
２０　ＵＳＢ
２１　ＡＶジャック
２６　バッテリ
２８　ＣＣＤセンサ
３１　映像符号化／復号部
３３　音声符号化／復号部
３４　多重化／分離部
３５　ＨＤＤ
３６　ＵＳＢコントローラ
４１　装置本体
４２　充電装置
４５　接点端子
５０　ヒンジ
５０ａ　窪み部
５０ｂ　連結片
５０ｃ　回転軸
５１　回転軸
５２　撮影時間設定部
５２ａ　設定ノブ
５６　充電装置
５７　架台（クレードル）
５７ａ　その上面
５７ｂ　その窪み部
５８　接点端子
【図１】
2004040229.tif 000003
【図２】
2004040229.tif 000004
【図３】
2004040229.tif 000005
【図４】
2004040229.tif 000006
【図５】
2004040229.tif 000007
【図６】
2004040229.tif 000008
【図７】
2004040229.tif 000009
【図８】
2004040229.tif 000010
【図９】
2004040229.tif 000011
【図１０】
2004040229.tif 000012
【図１１】
2004040229.tif 000013
【図１２】
2004040229.tif 000014
【図１３】
2004040229.tif 000015
【図１４】
2004040229.tif 000016
【図１５】
2004040229.tif 000017
【図１６】
2004040229.tif 000018
【図１７】
2004040229.tif 000019
【図１８】
2004040229.tif 000020
【図１９】
2004040229.tif 000021
【図２０】
2004040229.tif 000022
【図２１】
2004040229.tif 000023
【図２２】
2004040229.tif 000024
【図２３】
2004040229.tif 000025
【図２４】
2004040229.tif 000026